(57)【要約】【課題】３枚刃の替え刃を着脱可能に取り付けることができる安全かみそりのホルダーを提供すること。【解決手段】頭部２と柄部３とが長手方向に延びる基線に沿って一体化され、替え刃ＲＢが長手方向を前記基線に沿うようにして頭部２に着脱可能に取り付けられる安全かみそりのホルダー１であって、替え刃ＲＢは、刃体収納部３５と刃体収納部３５の長手方向に直交して延びた取り付け部材３２，３３とを有し、刃体収納部３５がその長手方向を軸として回動可能に前記取り付け部材３３に支持されており、頭部２は、取り付け部材３２，３３を挿入することによって替え刃ＲＢを取り付ける穴部２２と、取り付け部材３２，３３が穴部２２に挿入されたときに刃体収納部３５の長手方向の両端部３４ａ，３４ｂに係合して刃体収納部３５が回動しないように係止する爪部２３ａ，２３ｂと、を有する。【選択図】      図１
2004255084.tif 000002
【特許請求の範囲】
【請求項１】
頭部と柄部とが長手方向に延びる基線に沿って一体化され、替え刃が長手方向を前記基線に沿うようにして前記頭部に着脱可能に取り付けられる安全かみそりのホルダーであって、
前記替え刃は、
刃体収納部と前記刃体収納部の長手方向に直交して延びた取り付け部材とを有し、
前記刃体収納部がその長手方向を軸として回動可能に前記取り付け部材に支持されており、
前記頭部は、
前記取り付け部材を挿入することによって前記替え刃を取り付ける穴部と、
前記取り付け部材が前記穴部に挿入されたときに前記刃体収納部の長手方向の両端部に係合して前記刃体収納部が回動しないように係止する爪部と、を有する、
ことを特徴とする安全かみそりのホルダー。
【発明の詳細な説明】
【０００１】
【発明の属する技術分野】
本発明は、頭部と柄部とが長手方向に延びる基線に沿って一体化され、頭部において替え刃の刃体の長手方向が基線に沿うように取り付け可能な安全かみそりのホルダーに関する。
【０００２】
【従来の技術】
従来において、頭部と柄部とが長手方向に延びる基線に沿って一体化され、頭部において基線に沿って配された装着面に替え刃を取り付けるための係合部材が設けられた形式の安全かみそりが、特開平５−１２３４６０号として提案されている（特許文献１参照）。
【０００３】
このような安全かみそりに用いられる替え刃は、長方形状のプラスチック製のケース内に１枚又は２枚の刃体が装着され、ケースの裏面に係合部材と係合するための係合溝が設けられている。このような替え刃は、公知であり、且つシックスーパーＩＩ（ファイザー・コンシューマーＩｎｃ．）などとして市販されている。
【０００４】
しかし、近年において、剃り心地がソフトなこと、剃り残しが少ないこと、および刃体の寿命が長いことなどから、３枚の刃体が装着された替え刃（以下「３枚刃の替え刃」）が急速に普及してきている。３枚刃の替え刃を安全かみそりのホルダーに取り付けた製品は、例えばシックトリプルエッジ（ファイザー・コンシューマーＩｎｃ．）、またはジレットマンハッタンスリー（ジレットジャパンインコーポレイテッド社）等の製品名で市販されている（非特許文献１，２参照）。
【０００５】
【特許文献１】
特開平５−１２３４６０号公報（段落番号０００７、第２図）
【０００６】
【非特許文献１】
インターネット＜ＵＲＬ：ｈｔｔｐ：／／ｗｗｗ．ｓｃｈｉｃｋ−ｊｐ．ｃｏｍ／ｔｒｉｐｌｅ＿ｅｄｇｅ．ｈｔｍ＞
【０００７】
【非特許文献２】
インターネット＜ＵＲＬ：ｈｔｔｐ：／／ｗｗｗ．ｇｉｌｌｅｔｔｅ−ｊｐ．ｃｏｍ／ｍａｌｅ／ｇｍ３．ｈｔｍｌ＞
【０００８】
【発明が解決しようとする課題】
理容業界には、客のひげ剃りに用いる道具として、一般に市販され普及品であるＴ字形の安全かみそりでは満足できず、そのために、従来から使用していたレザー（西洋かみそり）や日本かみそりを使用する理容師も数多い。しかしながら、これらの従来から使用するかみそりは、剃り味を維持するために定期的に砥石等で研ぐ必要があり、使い捨ての替え刃形式の安全かみそりに比べて日常の切れ味の維持等が面倒である。
【０００９】
そこで、レザー等の従来のかみそりに使い勝手が類似し、理容師が使用する道具にふさわしい外観を有する、柄の長手方向と同一方向に替え刃の刃体が配される替え刃形式の安全かみそりのホルダー（以下「ホルダー」）が、理容業界で徐々に普及し始めている。
【００１０】
しかし、このようなホルダーは、今日まで、特許文献１に記載されるように２枚の刃体が装着された替え刃を取り付けるためのものしか存在せず、３枚の刃体が装着された替え刃（以下「３枚刃の替え刃）が有する優れた特徴を引き出すホルダーは現存していなかった。
【００１１】
本発明は、上述の問題に鑑みてなされたもので、３枚刃の替え刃を着脱可能に取り付けることができる安全かみそりのホルダーを提供することを目的とする。
【００１２】
【課題を解決するための手段】
本発明にかかる安全かみそりのホルダーは、頭部と柄部とが長手方向に延びる基線に沿って一体化され、替え刃が長手方向を前記基線に沿うようにして前記頭部に着脱可能に取り付けられる安全かみそりのホルダーであって、前記替え刃は、刃体収納部と前記刃体収納部の長手方向に直交して延びた取り付け部材とを有し、前記刃体収納部がその長手方向を軸として回動可能に前記取り付け部材に支持されており、前記頭部は、前記取り付け部材を挿入することによって前記替え刃を取り付ける穴部と、前記取り付け部材が前記穴部に挿入されたときに前記刃体収納部の長手方向の両端部に係合して前記刃体収納部が回動しないように係止する爪部と、を有する。
【００１３】
【発明の実施の形態】
図１は本発明にかかるホルダー１の頭部２の斜視図、図２は３枚刃の替え刃ＲＢの正面図、図３は３枚刃の替え刃ＲＢの右側面図、図４は３枚刃の替え刃ＲＢの平面図、図５はホルダー１に３枚刃の替え刃ＲＢを取り付けた平面図、図６はホルダー１に３枚刃の替え刃ＲＢを取り付けた正面図、図７は図５のＡ−Ａ線矢視断面図、図８は図５のＢ−Ｂ線矢視断面図、図９は図８における係合爪部２３ａ近辺の拡大図である。
【００１４】
これらの図において、ホルダー１は、頭部２および柄部３からなる。頭部２と柄部３とは、長手方向に延びる基線に沿って一体に形成されている。
図１に示すように、頭部２には装着面２１が設けられる。装着面２１は頭部２の幅の約２分の１の幅で長手方向に延び、残りの約２分の１の幅からなる長手方向に延びる面（以下「平滑面」）２４とは約１６５度の角度で交わる（図７参照）。装着面２１には、基線に直交して頭部２における装着面２１の裏側の面（以下「裏面」）に貫通する嵌合穴２２が設けられる。嵌合穴２２の装着面２１における開口部分は、裏面の開口部分（図６参照）よりも長手方向に長く、ほぼ装着面２１の全長に渡っている。嵌合穴２２の装着面２１における開口部分は、幅がやや広い中央開口部２２１とそれより幅の狭い周辺開口部２２２とからなる。嵌合穴２２は、中央開口部２２１の幅および基線方向の長さのまま裏面に貫通している。頭部２は、鋼材またはステンレス鋼などの金属材料を削りだすことにより製作される。グラインダーなどで粗く表面仕上げをした後に、高級感を出すためにバフ仕上げで滑らかな鏡面に研磨される。
【００１５】
装着面２１の長手方向の両端は、装着面２１から上方に立ち上がり平滑面２４の側に回り込んで長手方向に延びており、基線に直交する断面における断面形状が略半円形の湾曲する係合爪部２３ａ，２３ｂとなっている（図８参照）。
【００１６】
本実施形態におけるホルダー１は、装着面２１の幅が上に述べたように頭部２の幅の約２分の１で平滑面２４との間に所定の角度αを有する。
装着面２１の長さ、２カ所の係合爪部２３ａ，２３ｂの間の長さおよび係合爪部２３ａ，２３ｂの湾曲の曲率等は、３枚刃の替え刃ＲＢの寸法に応じて適宜決定される。
【００１７】
柄部３は、頭部２と一体化し頭部２と同じ金属材料で造られたベースにプラスチックまたは合成ゴムを成型した握り部を取り付けて形成する。握り部は使用者が使いやすい形状にデザインされている。
【００１８】
図２および図３に示すように、３枚刃の替え刃ＲＢは、長手方向に延び幅方向に並べられた３枚の刃体３１ａ，３１ｂ，３１ｃを刃体収納部３５に有する。また、長手方向と直交する方向に延びた脚部３２を有している。脚部３２は刃体収納部３５の長手方向に長く、中空になっている。脚部３２は、長手方向の両側にリブ３３，３３を有する。リブ３３，３３は、刃体収納部３５をその長手方向を軸として、回動可能に支持している。
【００１９】
図４に示すように、リブ３３，３３は、脚部３２の中心線よりやや傾斜して脚部３２に取り付けられている。また、刃体収納部３５の長手方向の端部の側面視は、長方形の２つの短辺を半円に取り替えたような形状をしている。図４におけるリブ３３，３３からより遠い側の幅方向の側面が、頭部２の係合爪部２３ａ，２３ｂに係合する係合部３４ａ，３４ｂである。
【００２０】
次に、頭部２に３枚刃の替え刃ＲＢを取り付ける要領について説明する。
先ず、３枚刃の替え刃ＲＢの脚部３２を頭部２の嵌合穴２２に嵌め込む。嵌合穴の中央開口部２２１は、脚部３２を嵌め込むのに適する幅および長さを有する。嵌合穴２２に脚部３２が嵌合された後は、ホルダー１を逆さにしたり軽く振る程度では、３枚刃の替え刃ＲＢがホルダー１から脱落することはない。嵌合穴２２の周辺開口部２２２には、リブ３３，３３が嵌め込まれる。
【００２１】
続いて、刃体収納部３５を回動させ、係合部３４ａ，３４ｂを係合爪部２３ａ，２３ｂの湾曲する部分の内側に押し込む。係合爪部２３ａ，２３ｂの曲率は、係合部３４ａ，３４ｂの断面の曲率と同じか、またはわずかに小さくなっている。係合爪部２３ａ，２３ｂの湾曲する面である爪部係合面２３１は、係合爪部２３ａ，２３ｂの内側に押し込まれた係合部３４ａ，３４ｂを回り込むようにして覆う。爪部係合面２３１は、係合部３４ａ，３４ｂを図８に示す中心線Ｃ−Ｃよりも上の部分にまで覆い、係合部３４ａ，３４ｂの上方への回動を制限して、刃体収納部３５を頭部２に係止する。図７に、頭部２に３枚刃の替え刃ＲＢが取り付けられたときの図５におけるＡ−Ａ断面を示す。このとき、刃体収納部３５の下部は装着面２１とほぼ並行である。
【００２２】
図３および図７に示すように、３枚刃の替え刃ＲＢの脚部３２は中空となっているために変形しやすく、脚部３２が嵌合穴２２に嵌め込まれた状態でも、刃体収納部３５は図８において右方向に若干の移動が可能である。したがって、係合爪部２３ａ，２３ｂが、係合部３４ａ，３４ｂをその中心線Ｃ−Ｃの上の位置にまで回り込んで覆うように構成されていても、係合部３４ａ，３４ｂの嵌め込みを容易に行うことができる。
【００２３】
また、係合部３４ａ，３４ｂが係合爪部２３ａ，２３ｂに嵌め込まれた後は、変形した脚部３２の復元力によって、係合部３４ａ，３４ｂは図８において左方向に移動する。したがって、係合爪部２３ａ，２３ｂは係合部３４ａ，３４ｂ、つまり刃体収納部３５を適切に係止することができ、頭部２への３枚刃の替え刃ＲＢの取り付けを確実なものとしている。
【００２４】
以上のようにして、図５および図６に示すようにホルダー１に３枚刃の替え刃ＲＢが取り付けられる。
頭部２から３枚刃の替え刃ＲＢを取り外す場合には、取り付けと逆の順序で作業を行えばよい。
【００２５】
このように、嵌合穴２２と脚部３２との嵌合および係合爪部２３ａ，２３ｂと係合部３４ａ，３４ｂとの係合によって、３枚刃の替え刃ＲＢが頭部２に着脱可能に取り付けられる。
【００２６】
本実施形態では、装着面２１と平滑面２４とは所定の角度αで交わるため、頭部２に取り付けられた刃体収納部３５の装着面２１側の下部は、図７に示すように、平滑面２４との間で１８０度−αの角度を有する隙間を形成する。この隙間によって、頭部２に取り付けられた刃体収納部３５を指先で回動させて、容易に係合部３４ａ，３４ｂを係合爪部２３ａ，２３ｂから外すことができる。
【００２７】
さらに、この隙間は、頭部２に取り付けられた刃体収納部３５の刃先側、刃体３１ａ，３１ｂ，３１ｃの間および刃体収納部３５の平滑面２４に面する下部を経て外部に繋がる流路の一部となる。したがって、本実施形態にかかるホルダー１では、安全かみそりを流水に当てたり溜め水内で揺り動かせば、３枚刃の替え刃ＲＢに溜まった剃り屑の洗浄を簡単且つ短時間で行うことができる。所定の角度αは本実施形態における１６５度に限定されるものではなく、刃体収納部３５を指先で回動させることができる隙間を平滑面２４との間で形成する角度であればよい。
【００２８】
基線に直交する断面における係合爪部の断面形状を、図９に示すような略半円形とせず、図１０に示すように鉤状のＬ字形等とすることができる。
また、種々の金属材料または非金属材料からなる係合爪部を頭部２に固定しまたは着脱可能に取り付けて、ホルダーとすることができる。
【００２９】
図１１に示す他の実施形態におけるホルダー１Ｃは、図１に示した平滑面２４を設けることなく、頭部２Ｃの幅方向の全てを１つの面からなる装着面２１Ｃとしている。この実施形態における嵌合穴２２および係合爪部２３ａ，２３ｂの構成および機能等は、図１に示すホルダー１と同じである。
【００３０】
装着面２１Ｃの係合爪部２３ａ，２３ｂが設けられた側の端には、窪み２５Ｃが設けられている（図１２参照）。窪み２５Ｃは、その表面が円柱側面の一部のような曲面となっている。また、窪み２５Ｃは、ホルダー１Ｃに３枚刃の替え刃ＲＢが取り付けられているときに、指先を差し入れ、３枚刃の替え刃ＲＢの刃体収納部３５の端を引き起こすことができる程度の大きさに形成されている。この窪み２５Ｃによって、頭部２Ｃに取り付けられた刃体収納部３５を指先で回動させて、容易に係合部３４ａ，３４ｂを係合爪部２３ａ，２３ｂから外すことができる。
【００３１】
また、窪み２５Ｃによって、装着面２１Ｃの端縁には、嵌合穴２２の方向にアール状にへこんだアール部２６Ｃが形成される。アール部２６Ｃを嵌合穴２２に近づくよう大きくしておけば、図１に示すホルダー１と同様に、３枚刃の替え刃ＲＢの洗浄が容易である。
【００３２】
窪み２５Ｃは、上に述べた円柱の側面状の他に、頭部２Ｃの長手方向に長径を有する楕円体の表面形状等にすることができる。
図１３に示すように、窪みを設けない装着面２１Ｄとしてもよい。
【００３３】
上述の実施形態において、ホルダー１の材質に本実施形態における材質以外のものを使用することができる。頭部２、柄部３、替え刃ＲＢ、またはホルダー１の全体または各部の構造、形状、寸法、材質などは、本発明の趣旨に沿って適宜変更することができる。
【００３４】
【発明の効果】
本発明によると、３枚刃の替え刃を着脱可能に取り付けることができる安全かみそりのホルダーを提供することができる。
【図面の簡単な説明】
【図１】本発明にかかるホルダーの頭部の斜視図である。
【図２】３枚刃の替え刃の正面図である。
【図３】３枚刃の替え刃の右側面図である。
【図４】３枚刃の替え刃の平面図である。
【図５】ホルダーに３枚刃の替え刃を取り付けた平面図である。
【図６】ホルダーに３枚刃の替え刃を取り付けた正面図である。
【図７】図５のＡ−Ａ線矢視断面図である。
【図８】図５のＢ−Ｂ線矢視断面図である。
【図９】図８における係合爪部近辺の拡大図である。
【図１０】係合爪部の他の実施形態の拡大図である。
【図１１】他の実施形態における頭部の斜視図である。
【図１２】図１１のＤ−Ｄ線矢視断面図である。
【図１３】他の実施形態における図５のＡ−Ａ線矢視断面に相当する図である。
【符号の説明】
１，１Ｄ  ホルダー
２，２Ｂ〜２Ｄ  頭部
３，３Ｄ  柄部
２２  穴部（嵌合穴）
２３ａ，２３ｂ  爪部（係合爪部）
３２  取り付け部材（脚部）
３３  取り付け部材（リブ）
３４ａ，３４ｂ  長手方向の両端部（係合部）
３５  刃体収納部
ＲＢ  替え刃（３枚刃の替え刃）
【図１】
2004255084.tif 000003
【図２】
2004255084.tif 000004
【図３】
2004255084.tif 000005
【図４】
2004255084.tif 000006
【図５】
2004255084.tif 000007
【図６】
2004255084.tif 000008
【図７】
2004255084.tif 000009
【図８】
2004255084.tif 000010
【図９】
2004255084.tif 000011
【図１０】
2004255084.tif 000012
【図１１】
2004255084.tif 000013
【図１２】
2004255084.tif 000014
【図１３】
2004255084.tif 000015